(57)【要約】【課題】台所で調理をしながらでも、調理以外の作業を行うことのできるカウンターを備えた住宅構造を提供する。【解決手段】台所１またはその近傍に、調理本の閲覧、パソコン置き場、アイロン掛けといった調理に伴うまたは調理以外の目的で使用するカウンター２を設けて、そのカウンター２を利用して、調理以外の作業を行えるようにする。また、そのカウンター２の上方に、吊り戸棚３と照明器具４またはその一方を設け、多数の本を収納し、また、照明効果によってカウンター２の作業を、より行い易いものとする。【選択図】      図１
0003107961.tif 000002
【実用新案登録請求の範囲】
【請求項１】
台所（１）またはその近傍に、調理本の閲覧、パソコン置き場、アイロン掛けといった調理に伴う、または調理以外の目的で使用するカウンター（２）を設けてなる台所カウンター付き住宅構造。
【請求項２】
台所（１）またはその近傍に、調理本の閲覧、パソコン置き場、アイロン掛けといった調理に伴う、または調理以外の目的で使用するカウンター（２）を設け、前記カウンターの上方に、吊り戸棚（３）と照明器具（４）またはその一方を設けてなる台所カウンター付き住宅構造。
【考案の詳細な説明】
【技術分野】
【０００１】
本考案は、台所またはその近傍に、調理に伴う作業または調理以外の作業を行うことのできるカウンターを設けた住宅構造に関するものである。
【背景技術】
【０００２】
従来、例えばマンション等の住宅構造において、各住戸の台所には、調理台やガステーブル等の調理に必要な設備は設けられているものの、それ以外の作業（例えばアイロン掛け）を行うことのできる設備は設けられていない。
【考案の開示】
【考案が解決しようとする課題】
【０００３】
従って、調理と同時に、例えば、アイロン掛けを行いたい場合には、台所を離れて別の部屋で行う必要が生じ、きわめて不便である。また、火の元の安全性にも欠けてしまう。
【０００４】
また、台所で調理をしながら、その調理に関する情報をパソコンや調理本などから即座に取り出したい場合にも、別の部屋に移動する必要が生じるので不便である。
【０００５】
本考案はこうした問題に鑑み創案されたもので、台所で調理をしながらでも、調理に伴う作業または調理以外の作業を行うことのできるカウンターを備えた住宅構造を提供することを課題とする。
【課題を解決するための手段】
【０００６】
図１乃至図３を参照して説明する。請求項１に記載の台所カウンター付き住宅構造は、台所１またはその近傍に、調理本の閲覧、パソコン置き場、アイロン掛けといった調理に伴う、または調理以外の目的で使用するカウンター２を設けてなるものである。
【０００７】
請求項２に記載の台所カウンター付き住宅構造は、台所１またはその近傍に、調理本の閲覧、パソコン置き場、アイロン掛けといった調理に伴う、または調理以外の目的で使用するカウンター２を設け、そのカウンター２の上方に、吊り戸棚３と照明器具４またはその一方を設けてなるものである。
【考案の効果】
【０００８】
請求項１に記載の考案に係る台所カウンター付き住宅構造は、台所１またはその近傍に、調理本の閲覧、パソコン置き場、アイロン掛けといった調理に伴う、または調理以外の目的で使用するカウンター２を設けたので、台所１にいながら、また、調理をしながらでも調理に伴う作業または調理以外の作業を行うことができるので便利であり、家事作業の効率化を図ることができる。
【０００９】
例えば、調理をしながら、カウンター２の上でアイロン掛けを行うことによって、二つの家事を台所１で同時に済ませることができる。また、調理に関する情報を、カウンター２に置いた調理本やパソコンから収集することができるので、当該調理をより迅速かつ上手に仕上げることもできる。さらには、パソコンから調理以外の情報を得たり、映画や音楽を楽しむこともできる。
【００１０】
また、台所１にいながら、アイロン掛けなどの作業を行うことができるので、常に、調理中の火の元を確認することができる。従って、安全性にも優れる。
【００１１】
請求項２に記載の台所カウンター付き住宅構造は、台所１またはその近傍に、調理本の閲覧、パソコン置き場、アイロン掛けといった調理に伴う、または調理以外の目的で使用するカウンター２を設け、そのカウンター２の上方に、吊り戸棚３と照明器具４またはその一方を設けたので、請求項１に記載の考案と同様に家事の作業効率を高めることができる。また、吊り戸棚３に、例えば多数の調理本を収めることができるので、必要な本を即座に取り出すことができ便利である。さらに、照明器具４を点灯することによって、カウンター２で行う作業を明るい照明の中で行うことができるので、作業のさらなる効率化を図ることができる。
【考案を実施するための最良の形態】
【００１２】
本考案に係る台所カウンター付き住宅構造の第一実施形態を、図１および図２に示す。この住宅構造はマンションにおけるもので、対面式のシステムキッチン５を備えた台所１の入口側のコーナー部分にカウンター２を設け、そのカウンター２を利用して調理本を閲覧したり、アイロン掛けを行ったり、また、パソコンを置けるようにしたものである。なお、このカウンター２の上方には、吊り戸棚３と照明器具４を設けている。なお、台所１の近接して、居間６、和室７、廊下８、洗面所９、浴室１０、バルコニー１１が設けられている。
【００１３】
この住宅構造においては、調理をしながらでも、例えば、アイロン掛けを行うことができるので、家事作業の効率化を図ることができる。また、同様に、調理本や他の本を読んだり、パソコンからあらゆる情報を収集することができるので、台所１を離れることなく調理に伴う、または調理以外の家事を容易に行うことができる。従って、住戸内での生活がきわめて便利なものとなる。
【００１４】
なお、カウンター２の上方には吊り戸棚３と照明器具４を設けているので、多数の本などを吊り戸棚３に収納することができて便利であり、また、照明器具４を点灯することによってカウンター２で行う作業を、より行い易くすることができる。
【００１５】
なお、カウンター２は台所１の入口側に設けているので、アイロン掛けを行う際の洗濯物の搬送に便利である。
【００１６】
本考案に係る台所カウンター付き住宅構造の第二実施形態を、図３に示す。
この住宅構造もマンションにおけるもので、対面式システムキッチン５を備えた台所１の奥側コーナー部分にカウンター２を設けたものである。このカウンター２の上方にも、吊り戸棚３と照明器具４を設けている。
【００１７】
本住宅構造においても、カウンター２を利用して、台所１で調理に伴う、または調理以外の作業を行うことができるので、住戸内での生活を便利かつ快適なものとすることができる。なお、本実施形態におけるカウンター２は台所１の奥側に設けているので、環境が静寂であり、例えば、読書をしたり、パソコンを使用するのに適している。
【００１８】
なお、本考案に係る住宅構造は、カウンター２を台所１内に設けることが好ましいが、台所１の近傍に設けることもできる。また、本考案に係る住宅構造は、マンションのみでなく、戸建ての住居にも適用することができる。さらに、カウンター２は、調理本の閲覧、パソコン置き場、アイロン掛けを目的とするのみでなく、他のこれに類する目的に使用することができる。例えば、テレビ、ラジオあるいは電話といった他の生活用品を置くことができる。
【図面の簡単な説明】
【００１９】
【図１】本考案に係る住宅構造の第一実施形態を示す要部平面図である。
【図２】図１に示す住宅構造の要部拡大正面図である。
【図３】本考案に係る住宅構造の第二実施形態を示す要部平面図である。
【符号の説明】
【００２０】
１      台所
２      カウンター
３      吊り戸棚
４      照明器具
５      システムキッチン
６      居間
７      和室
８      廊下
９      洗面所
１０    浴室
１１    バルコニー
【図１】
0003107961.tif 000003
【図２】
0003107961.tif 000004
【図３】
0003107961.tif 000005